【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  以下の式（Ｉ）により表わされる化合物であって：
【化１】
2002506061.tif 000001
ここで、
Ｙは、以下であり：
【化２】
2002506061.tif 000002
ｍは、０または１であり；
Ｗは、−ＣＨ２−、−Ｃ（Ｏ）−、−Ｓ（Ｏ）２−、または−Ｓ（Ｏ）−であり；
Ｘは、−Ｃ（Ｈ）−、−Ｃ（Ｒ８）−、または
【化３】
2002506061.tif 000003
であり；
Ｚは、−ＣＨ２−、−Ｏ−、−Ｓ−、または−Ｎ（Ｒ１）−であり、ここで、Ｚが−Ｎ（Ｒ１）−ならば、Ｗは、−Ｃ（Ｏ）−、−Ｓ（Ｏ）２−、または−Ｓ（Ｏ）−であり；
各Ｒ１は、独立して、−Ｈ、−Ｃ（Ｏ）Ｒ８、−Ｓ（Ｏ）２Ｒ８、−Ｓ（Ｏ）Ｒ８、−Ｒ２１、−アルキル−Ｒ２１、−アルケニル−Ｒ２１、−アルキニル−Ｒ２１、−アルキルであり；
Ｒ２は、−Ｃ（Ｏ）Ｒ８、−Ｃ（Ｏ）Ｃ（Ｏ）Ｒ８、−Ｓ（Ｏ）２Ｒ８、−Ｓ（Ｏ）Ｒ８、−Ｃ（Ｏ）ＯＲ８、−Ｃ（Ｏ）Ｎ（Ｈ）Ｒ８、−Ｓ（Ｏ）２Ｎ（Ｈ）−Ｒ８、−Ｓ（Ｏ）Ｎ（Ｈ）−Ｒ８、−Ｃ（Ｏ）Ｃ（Ｏ）Ｎ（Ｈ）Ｒ８、−Ｃ（Ｏ）ＣＨ＝ＣＨＲ８、−Ｃ（Ｏ）ＣＨ２ＯＲ８、−Ｃ（Ｏ）ＣＨ２Ｎ（Ｈ）Ｒ８、−Ｃ（Ｏ）Ｎ（Ｒ８）２、−Ｓ（Ｏ）２Ｎ（Ｒ８）２、−Ｓ（Ｏ）Ｎ（Ｒ８）２、−Ｃ（Ｏ）Ｃ（Ｏ）Ｎ（Ｒ８）２、−Ｃ（Ｏ）ＣＨ２Ｎ（Ｒ８）２、−ＣＨ２−Ｒ８、−ＣＨ２−アルケニル−Ｒ８、または−ＣＨ２−アルキニル−Ｒ８であり；
Ｒ３は、−Ｈ、−Ｒ２１、−アルキル−Ｒ２１、−アルケニル−Ｒ２１、−アルキニル−Ｒ２１、アルキル、またはアミノ酸側鎖であり；
各Ｒ４は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−アルキル、−シクロアルキル、−パーフルオロアルキル、−Ｏ−アルキル、−Ｎ（Ｈ）アルキル、−Ｎ（アルキル）２、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ−アルキル、−Ｓ（Ｏ）２アルキル、−Ｓ（Ｏ）アルキル、−Ｃ（Ｏ）アルキル、−ＣＨ２ＮＨ２、−ＣＨ２Ｎ（Ｈ）アルキル、−ＣＨ２Ｎ（アルキル）２、または−Ｎ（Ｈ）Ｃ（Ｏ）Ｏアルキルであり；
Ｒ５は、−ＯＨ、−ＯＲ８、−Ｎ（Ｈ）ＯＨ、または−Ｎ（Ｈ）ＳＯ２Ｒ８であり；
Ｒ６は、−Ｈ、−ＣＨ２ＯＲ９、−ＣＨ２ＳＲ１０、−ＣＨ２Ｎ（Ｈ）Ｒ９、−ＣＨ２Ｎ（Ｒ９）Ｒ１１、−Ｃ（Ｈ）Ｎ２、−ＣＨ２Ｆ、−ＣＨ２Ｃｌ、−ＣＨ２Ｂｒ、−ＣＨ２Ｉ、−Ｃ（Ｏ）Ｎ（Ｒ１１）２、−Ｒ１３または−Ｒ１４であり；
各Ｒ８は、独立して、−アルキル、−シクロアルキル、−アリール、−ヘテロアリール、−ヘテロシクリル、−アルキルシクロアルキル、−アルキルアリール、−アルキルヘテロアリール、または−アルキルヘテロシクリルであり；
Ｒ９は、−Ｈ、−Ｃ（Ｏ）アリール、−Ｃ（Ｏ）ヘテロアリール、−Ｃ（Ｏ）アルキルアリール、−Ｃ（Ｏ）アルキルヘテロアリール、−アルキルアリール、−アルキルヘテロアリール、−アリール、−ヘテロアリール、または−Ｐ（Ｏ）（Ｒ１５）２であり；
Ｒ１０は、−アルキルアリールまたは−アルキルヘテロアリールであり；
各Ｒ１１は、独立して、−Ｈ、−アルキル、−アリール、−ヘテロアリール、−シクロアルキル、−アルキルアリールまたは−アルキルヘテロアリールであり；
Ｒ１３は、−アルキルアリールまたは−アルキルヘテロアリールであり；
Ｒ１４は、以下であり：
【化４】
2002506061.tif 000004
ここで、Ｑは、−Ｏ−または−Ｓ−であり、（ｉ）の任意の水素原子は、必要に応じて、−Ｒ１７で置換されており、そして（ｉｉ）、（ｉｉｉ）、および（ｉｖ）の任意の水素原子は、必要に応じて、−Ｒ１７、−Ｒ１８または−アルキル−Ｒ１８で置換されており；
各Ｒ１５は、独立して、−Ｈ、−ＯＨ、−アルキル、−アリール、−ヘテロアリール、−シクロアルキル、−アルキルアリール、−アルキルヘテロアリール、−Ｏアルキル、−Ｏアリール、−Ｏヘテロアリール、−Ｏアルキルアリールまたは−Ｏアルキルヘテロアリールであり；
各Ｒ１７は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−ＳＯ２ＮＨ２、−Ｃ（Ｏ）Ｈ、−アルキル、−シクロアルキル、−パーフルオロアルキル、−Ｏ−アルキル、−Ｎ（Ｈ）アルキル、−Ｎ（アルキル）２、−ＣＯ２アルキル、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ（Ｏ）２Ｎ（Ｈ）アルキル、−Ｓ（Ｏ）Ｎ（Ｈ）アルキル、−Ｓ（Ｏ）２Ｎ（アルキル）２、−Ｓ（Ｏ）Ｎ（アルキル）２、−Ｓ−アルキル、−Ｓ（Ｏ）２アルキル、−Ｓ（Ｏ）アルキルまたは−Ｃ（Ｏ）アルキルであり；
各Ｒ１８は、独立して、−アリール、−ヘテロアリール、−アルキルアリール、−アルキルヘテロアリール、−Ｏ−アリール、−Ｏ−ヘテロアリール、−Ｏ−アルキルアリール、−Ｏ−アルキルヘテロアリール、−Ｎ（Ｈ）アリール、−Ｎ（アリール）２、−Ｎ（Ｈ）ヘテロアリール、−Ｎ（ヘテロアリール）２、−Ｎ（Ｈ）アルキルアリール、−Ｎ（アルキルアリール）２、−Ｎ（Ｈ）アルキルヘテロアリール、−Ｎ（アルキルヘテロアリール）２、−Ｓ−アリール、−Ｓ−ヘテロアリール、−Ｓ−アルキルアリール、−Ｓ−アルキルヘテロアリール、−Ｃ（Ｏ）アリール、−Ｃ（Ｏ）ヘテロアリール、−Ｃ（Ｏ）アルキルアリール、−Ｃ（Ｏ）アルキルヘテロアリール、−ＣＯ２アリール、−ＣＯ２ヘテロアリール、−ＣＯ２アルキルアリール、−ＣＯ２アルキルヘテロアリール、−Ｃ（Ｏ）Ｎ（Ｈ）アリール、−Ｃ（Ｏ）Ｎ（アリール）２、−Ｃ（Ｏ）Ｎ（Ｈ）ヘテロアリール、−Ｃ（Ｏ）Ｎ（ヘテロアリール）２、−Ｃ（Ｏ）Ｎ（Ｈ）アルキルアリール、−Ｃ（Ｏ）Ｎ（アルキルアリール）２、−Ｃ（Ｏ）Ｎ（Ｈ）アルキルヘテロアリール、−Ｃ（Ｏ）Ｎ（アルキルヘテロアリール）２、−Ｓ（Ｏ）２−アリール、−Ｓ（Ｏ）−アリール、−Ｓ（Ｏ）２−ヘテロアリール、−Ｓ（Ｏ）−ヘテロアリール、−Ｓ（Ｏ）２−アルキルアリール、−Ｓ（Ｏ）−アルキルアリール、−Ｓ（Ｏ）２−アルキルヘテロアリール、−Ｓ（Ｏ）−アルキルヘテロアリール、−Ｓ（Ｏ）２Ｎ（Ｈ）−アリール、−Ｓ（Ｏ）Ｎ（Ｈ）−アリール、−Ｓ（Ｏ）２ＮＨ−ヘテロアリール、−Ｓ（Ｏ）ＮＨ−ヘテロアリール、−Ｓ（Ｏ）２Ｎ（Ｈ）−アルキルアリール、−Ｓ（Ｏ）Ｎ（Ｈ）−アルキルアリール、−Ｓ（Ｏ）２Ｎ（Ｈ）−アルキルヘテロアリール、−Ｓ（Ｏ）Ｎ（Ｈ）−アルキルヘテロアリール、−Ｓ（Ｏ）２Ｎ（アリール）２、−Ｓ（Ｏ）Ｎ（アリール）２、−Ｓ（Ｏ）２Ｎ（ヘテロアリール）２、−Ｓ（Ｏ）Ｎ（ヘテロアリール）２、−Ｓ（Ｏ）２Ｎ（アルキルアリール）２、−Ｓ（Ｏ）Ｎ（アルキルアリール）２、−Ｓ（Ｏ）２Ｎ（アルキルヘテロアリール）２、−Ｓ（Ｏ）Ｎ（アルキルヘテロアリール）２、−Ｎ（Ｈ）Ｃ（Ｏ）Ｎ（Ｈ）アリール、−Ｎ（Ｈ）Ｃ（Ｏ）Ｎ（Ｈ）ヘテロアリール、−Ｎ（Ｈ）Ｃ（Ｏ）Ｎ（Ｈ）アルキルアリール、−Ｎ（Ｈ）Ｃ（Ｏ）Ｎ（Ｈ）アルキルヘテロアリール、−Ｎ（Ｈ）Ｃ（Ｏ）Ｎ（アリール）２、−Ｎ（Ｈ）Ｃ（Ｏ）Ｎ（ヘテロアリール）２、−Ｎ（Ｈ）Ｃ（Ｏ）Ｎ（アルキルアリール）２または−Ｎ（Ｈ）Ｃ（Ｏ）Ｎ（アルキルヘテロアリール）２であり；そして
各Ｒ２１は、独立して、−アリール、−ヘテロアリール、−シクロアルキル、またはヘテロシクリルであり、ここで、任意の炭素原子に結合する水素原子は、必要に応じて、Ｒ４によって置換され、そして任意の窒素原子に結合する水素原子は、必要に応じてＲ２によって置換されている、
化合物。
【請求項２】  以下の式（Ｉ）により表わされる化合物であって：
【化５】
2002506061.tif 000005
ここで、
Ｙは、以下であり：
【化６】
2002506061.tif 000006
ｍは、０または１であり；
Ｗは、−ＣＨ２−、−Ｃ（Ｏ）−、−Ｓ（Ｏ）２−、または−Ｓ（Ｏ）−；であり；
Ｘは、−Ｃ（Ｈ）−、−Ｃ（Ｒ８）−、または
【化７】
2002506061.tif 000007
であり；
Ｚは、−ＣＨ２−、−Ｏ−、−Ｓ−、または−Ｎ（Ｒ１）−であり、ここでＺが−Ｎ（Ｒ１）−であるならば、Ｗは−Ｃ（Ｏ）−、−Ｓ（Ｏ）２−；または−Ｓ（Ｏ）−であり；
各Ｒ１は、独立して、−Ｈ、−Ｃ（Ｏ）Ｒ８、−Ｓ（Ｏ）２Ｒ８、−Ｓ（Ｏ）Ｒ８、−Ｒ２１、−アルキル−Ｒ２１、−アルケニル−Ｒ２１、−アルキニル−Ｒ２１、−アルキルであり；
Ｒ２は、−Ｃ（Ｏ）Ｒ８、−Ｃ（Ｏ）Ｃ（Ｏ）Ｒ８、−Ｓ（Ｏ）２Ｒ８、−Ｓ（Ｏ）Ｒ８、−Ｃ（Ｏ）ＯＲ８、−Ｃ（Ｏ）Ｎ（Ｈ）Ｒ８、−Ｓ（Ｏ）２Ｎ（Ｈ）Ｒ８、−Ｓ（Ｏ）Ｎ（Ｈ）Ｒ８、−Ｃ（Ｏ）Ｃ（Ｏ）Ｎ（Ｈ）Ｒ８、−Ｃ（Ｏ）ＣＨ＝ＣＨＲ８、−Ｃ（Ｏ）ＣＨ２ＯＲ８、−Ｃ（Ｏ）ＣＨ２Ｎ（Ｈ）Ｒ８、−Ｃ（Ｏ）Ｎ（Ｒ８）２、−Ｓ（Ｏ）２Ｎ（Ｒ８）２、−Ｓ（Ｏ）Ｎ（Ｒ８）２、−Ｃ（Ｏ）Ｃ（Ｏ）Ｎ（Ｒ８）２、−Ｃ（Ｏ）ＣＨ２Ｎ（Ｒ８）２、−ＣＨ２−Ｒ８、−ＣＨ２−アルケニル−Ｒ８、または−ＣＨ２−アルキニル−Ｒ８であり；
Ｒ３は、−Ｈ、−Ｒ２１、−アルキル−Ｒ２１、−アルケニル−Ｒ２１、−アルキニル−Ｒ２１、アルキル、またはアミノ酸側鎖であり；
各Ｒ４は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−アルキル、−シクロアルキル、−パーフルオロアルキル、−Ｏ−アルキル、−Ｎ（Ｈ）アルキル、−Ｎ（アルキル）２、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ−アルキル、−Ｓ（Ｏ）２アルキル、−Ｓ（Ｏ）アルキル、−Ｃ（Ｏ）アルキル、−ＣＨ２ＮＨ２、−ＣＨ２Ｎ（Ｈ）アルキル、−ＣＨ２Ｎ（アルキル）２、または−Ｎ（Ｈ）Ｃ（Ｏ）Ｏアルキルであり；
Ｒ６は、−Ｈ、−ＣＨ２ＯＲ９、−ＣＨ２ＳＲ１０、−ＣＨ２Ｎ（Ｈ）Ｒ９、−ＣＨ２Ｎ（Ｒ９）Ｒ１１、−Ｃ（Ｈ）Ｎ２、−ＣＨ２Ｆ、−ＣＨ２Ｃｌ、−ＣＨ２Ｂｒ、−ＣＨ２Ｉ、−Ｃ（Ｏ）Ｎ（Ｒ１１）２、−Ｒ１３または−Ｒ１４であり；
Ｒ７は、−Ｃ（Ｏ）アルキル、−Ｃ（Ｏ）シクロアルキル、−Ｃ（Ｏ）アルケニル、−Ｃ（Ｏ）アルキニル、−Ｃ（Ｏ）アルキルアリール、−Ｃ（Ｏ）アルキルヘテロアリール、−Ｃ（Ｏ）ヘテロ環、または−Ｃ（Ｏ）アルキルヘテロ環であり；
各Ｒ８は、独立して、−アルキル、−シクロアルキル、−アリール、−ヘテロアリール、−ヘテロシクリル、−アルキルシクロアルキル、−アルキルアリール、−アルキルヘテロアリールまたは−アルキルシクリルであり；
Ｒ９は、−Ｈ、−Ｃ（Ｏ）アリール、−Ｃ（Ｏ）ヘテロアリール、−Ｃ（Ｏ）アルキルアリール、−Ｃ（Ｏ）アルキルヘテロアリール、−アルキルアリール、−アルキルヘテロアリール、−アリール、−ヘテロアリールまたは−Ｐ（Ｏ）（Ｒ１５）２であり；
Ｒ１０は、−アルキルアリールまたは−アルキルヘテロアリールであり；
各Ｒ１１は、独立して、−Ｈ、−アルキル、−アリール、−ヘテロアリール、−シクロアルキル、−アルキルアリールまたは−アルキルヘテロアリールであり；
Ｒ１３は、−アルキルアリールまたは−アルキルヘテロアリールであり；
Ｒ１４は、以下であり：
【化８】
2002506061.tif 000008
ここで、Ｑは、−Ｏ−または−Ｓ−であり、（ｉ）の任意の水素原子は、必要に応じて、−Ｒ１７で置換されており、そして（ｉｉ）、（ｉｉｉ）、および（ｉｖ）の任意の水素原子は、必要に応じて、−Ｒ１７、−Ｒ１８または−アルキル−Ｒ１８で置換されており；
各Ｒ１５は、独立して、−Ｈ、−ＯＨ、−アルキル、−アリール、−ヘテロアリール、−シクロアルキル、−アルキルアリール、−アルキルヘテロアリール、−Ｏアルキル、−Ｏアリール、−Ｏヘテロアリール、−Ｏアルキルアリールまたは−Ｏアルキルヘテロアリールであり；
各Ｒ１７は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−ＳＯ２ＮＨ２、−Ｃ（Ｏ）Ｈ、−アルキル、−シクロアルキル、−パーフルオロアルキル、−Ｏ−アルキル、−Ｎ（Ｈ）アルキル、−Ｎ（アルキル）２、−ＣＯ２アルキル、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ（Ｏ）２Ｎ（Ｈ）アルキル、−Ｓ（Ｏ）Ｎ（Ｈ）アルキル、−Ｓ（Ｏ）２Ｎ（アルキル）２、−Ｓ（Ｏ）Ｎ（アルキル）２、−Ｓ−アルキル、−Ｓ（Ｏ）２アルキル、−Ｓ（Ｏ）アルキルまたは−Ｃ（Ｏ）アルキルであり；
各Ｒ１８は、独立して、−アリール、−ヘテロアリール、−アルキルアリール、−アルキルヘテロアリール、−Ｏ−アリール、−Ｏ−ヘテロアリール、−Ｏ−アルキルアリール、−Ｏ−アルキルヘテロアリール、−Ｎ（Ｈ）アリール、−Ｎ（アリール）２、−Ｎ（Ｈ）ヘテロアリール、−Ｎ（ヘテロアリール）２、−Ｎ（Ｈ）アルキルアリール、−Ｎ（アルキルアリール）２、−Ｎ（Ｈ）アルキルヘテロアリール、−Ｎ（アルキルヘテロアリール）２、−Ｓ−アリール、−Ｓ−ヘテロアリール、−Ｓ−アルキルアリール、−Ｓ−アルキルヘテロアリール、−Ｃ（Ｏ）アリール、−Ｃ（Ｏ）ヘテロアリール、−Ｃ（Ｏ）アルキルアリール、−Ｃ（Ｏ）アルキルヘテロアリール、−ＣＯ２アリール、−ＣＯ２ヘテロアリール、−ＣＯ２アルキルアリール、−ＣＯ２アルキルヘテロアリール、−Ｃ（Ｏ）Ｎ（Ｈ）アリール、−Ｃ（Ｏ）Ｎ（アリール）２、−Ｃ（Ｏ）Ｎ（Ｈ）ヘテロアリール、−Ｃ（Ｏ）Ｎ（ヘテロアリール）２、−Ｃ（Ｏ）Ｎ（Ｈ）アルキルアリール、−Ｃ（Ｏ）Ｎ（アルキルアリール）２、−Ｃ（Ｏ）Ｎ（Ｈ）アルキルヘテロアリール、−Ｃ（Ｏ）Ｎ（アルキルヘテロアリール）２、−Ｓ（Ｏ）２−アリール、−Ｓ（Ｏ）−アリール、−Ｓ（Ｏ）２−ヘテロアリール、−Ｓ（Ｏ）−ヘテロアリール、−Ｓ（Ｏ）２−アルキルアリール、−Ｓ（Ｏ）−アルキルアリール、−Ｓ（Ｏ）２−アルキルヘテロアリール、−Ｓ（Ｏ）−アルキルヘテロアリール、−Ｓ（Ｏ）２Ｎ（Ｈ）−アリール、−Ｓ（Ｏ）Ｎ（Ｈ）−アリール、−Ｓ（Ｏ）２ＮＨ−ヘテロアリール、−Ｓ（Ｏ）ＮＨ−ヘテロアリール、−Ｓ（Ｏ）２Ｎ（Ｈ）−アルキルアリール、−Ｓ（Ｏ）Ｎ（Ｈ）−アルキルアリール、−Ｓ（Ｏ）２Ｎ（Ｈ）−アルキルヘテロアリール、−Ｓ（Ｏ）Ｎ（Ｈ）−アルキルヘテロアリール、−Ｓ（Ｏ）２Ｎ（アリール）２、−Ｓ（Ｏ）Ｎ（アリール）２、−Ｓ（Ｏ）２Ｎ（ヘテロアリール）２、−Ｓ（Ｏ）Ｎ（ヘテロアリール）２、−Ｓ（Ｏ）２Ｎ（アルキルアリール）２、−Ｓ（Ｏ）Ｎ（アルキルアリール）２、−Ｓ（Ｏ）２Ｎ（アルキルヘテロアリール）２、−Ｓ（Ｏ）Ｎ（アルキルヘテロアリール）２、−Ｎ（Ｈ）Ｃ（Ｏ）Ｎ（Ｈ）アリール、−Ｎ（Ｈ）Ｃ（Ｏ）Ｎ（Ｈ）ヘテロアリール、−Ｎ（Ｈ）Ｃ（Ｏ）Ｎ（Ｈ）アルキルアリール、−Ｎ（Ｈ）Ｃ（Ｏ）Ｎ（Ｈ）アルキルヘテロアリール、−Ｎ（Ｈ）Ｃ（Ｏ）Ｎ（アリール）２、−Ｎ（Ｈ）Ｃ（Ｏ）Ｎ（ヘテロアリール）２、−Ｎ（Ｈ）Ｃ（Ｏ）Ｎ（アルキルアリール）２または−Ｎ（Ｈ）Ｃ（Ｏ）Ｎ（アルキルヘテロアリール）２であり；そして
各Ｒ２１は、独立して、−アリール、−ヘテロアリール、−シクロアルキル、またはヘテロシクリルであり、ここで、任意の炭素原子に結合する水素原子は、必要に応じて、Ｒ４によって置換され、そして任意の窒素原子に結合する水素原子は、必要に応じてＲ２によって置換されている、
化合物。
【請求項３】  以下の式（ＩＩ）により表わされる化合物であって：
【化９】
2002506061.tif 000009
ここで、
Ｙは、以下であり：
【化１０】
2002506061.tif 000010
Ｃは、アリール環またはヘテロアリール環であり、ここで、該Ｃ環に結合している任意の水素原子は、必要に応じて、−Ｒ４で置換されており；
ｍは、０または１であり；
Ｗは、−ＣＨ２−、−Ｃ（Ｏ）−、−Ｓ（Ｏ）２−、または−Ｓ（Ｏ）−；であり；
Ｘは、−Ｃ（Ｈ）−、−Ｃ（Ｒ８）−、または
【化１１】
2002506061.tif 000011
であり；
各Ｒ１は、独立して、−Ｈ、−Ｃ（Ｏ）Ｒ８、−Ｓ（Ｏ）２Ｒ８、−Ｓ（Ｏ）Ｒ８、−Ｒ２１、−アルキル−Ｒ２１、−アルケニル−Ｒ２１、−アルキニル−Ｒ２１、−アルキルであり；
Ｒ２は、−Ｃ（Ｏ）Ｒ８、−Ｃ（Ｏ）Ｃ（Ｏ）Ｒ８、−Ｓ（Ｏ）２Ｒ８、−Ｓ（Ｏ）Ｒ８、−Ｃ（Ｏ）ＯＲ８、−Ｃ（Ｏ）Ｎ（Ｈ）Ｒ８、−Ｓ（Ｏ）２Ｎ（Ｈ）−Ｒ８、−Ｓ（Ｏ）Ｎ（Ｈ）−Ｒ８、−Ｃ（Ｏ）Ｃ（Ｏ）Ｎ（Ｈ）Ｒ８、−Ｃ（Ｏ）ＣＨ＝ＣＨＲ８、−Ｃ（Ｏ）ＣＨ２ＯＲ８、−Ｃ（Ｏ）ＣＨ２Ｎ（Ｈ）Ｒ８、−Ｃ（Ｏ）Ｎ（Ｒ８）２、−Ｓ（Ｏ）２Ｎ（Ｒ８）２、−Ｓ（Ｏ）Ｎ（Ｒ８）２、−Ｃ（Ｏ）Ｃ（Ｏ）Ｎ（Ｒ８）２、−Ｃ（Ｏ）ＣＨ２Ｎ（Ｒ８）２、−ＣＨ２−Ｒ８、−ＣＨ２−アルケニル−Ｒ８、または−ＣＨ２−アルキニル−Ｒ８であり；
Ｒ３は、−Ｈ、−Ｒ２１、−アルキル−Ｒ２１、−アルケニル−Ｒ２１、−アルキニル−Ｒ２１、アルキル、またはアミノ酸側鎖であり；
各Ｒ４は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−アルキル、−シクロアルキル、−パーフルオロアルキル、−Ｏ−アルキル、−Ｎ（Ｈ）アルキル、−Ｎ（アルキル）２、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ−アルキル、−Ｓ（Ｏ）２アルキル、−Ｓ（Ｏ）アルキル、−Ｃ（Ｏ）アルキル、−ＣＨ２ＮＨ２、−ＣＨ２Ｎ（Ｈ）アルキル、−ＣＨ２Ｎ（アルキル）２、または−Ｎ（Ｈ）Ｃ（Ｏ）Ｏアルキルであり；
Ｒ５は、−ＯＨ、−ＯＲ８、−Ｎ（Ｈ）ＯＨ、または−Ｎ（Ｈ）ＳＯ２Ｒ８であり；
Ｒ６は、−Ｈ、−ＣＨ２ＯＲ９、−ＣＨ２ＳＲ１０、−ＣＨ２Ｎ（Ｈ）Ｒ９、−ＣＨ２Ｎ（Ｒ９）Ｒ１１、−Ｃ（Ｈ）Ｎ２、−ＣＨ２Ｆ、−ＣＨ２Ｃｌ、−ＣＨ２Ｂｒ、−ＣＨ２Ｉ、−Ｃ（Ｏ）Ｎ（Ｒ１１）２、−Ｒ１３または−Ｒ１４であり；
各Ｒ８は、独立して、−アルキル、−シクロアルキル、−アリール、−ヘテロアリール、−ヘテロシクリル、−アルキルシクロアルキル、−アルキルアリール、−アルキルヘテロアリールまたは−アルキルヘテロシクリルであり；
Ｒ９は、−Ｈ、−Ｃ（Ｏ）アリール、−Ｃ（Ｏ）ヘテロアリール、−Ｃ（Ｏ）アルキルアリール、−Ｃ（Ｏ）アルキルヘテロアリール、−アルキルアリール、−アルキルヘテロアリール、−アリール、−ヘテロアリールまたは−Ｐ（Ｏ）（Ｒ１５）２であり；
Ｒ１０は、−アルキルアリールまたは−アルキルヘテロアリールであり；
各Ｒ１１は、独立して、−Ｈ、−アルキル、−アリール、−ヘテロアリール、−シクロアルキル、−アルキルアリールまたは−アルキルヘテロアリールであり；
Ｒ１３は、−アルキルアリールまたは−アルキルヘテロアリールであり；
Ｒ１４は、以下であり：
【化１２】
2002506061.tif 000012
ここで、Ｑは、−Ｏ−または−Ｓ−であり、（ｉ）の任意の水素原子は、必要に応じて、−Ｒ１７で置換されており、そして（ｉｉ）、（ｉｉｉ）、および（ｉｖ）の任意の水素原子は、必要に応じて、−Ｒ１７、−Ｒ１８または−アルキル−Ｒ１８で置換されており；
各Ｒ１５は、独立して、−Ｈ、−ＯＨ、−アルキル、−アリール、−ヘテロアリール、−シクロアルキル、−アルキルアリール、−アルキルヘテロアリール、−Ｏアルキル、−Ｏアリール、−Ｏヘテロアリール、−Ｏアルキルアリールまたは−Ｏアルキルヘテロアリールであり；
各Ｒ１７は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−ＳＯ２ＮＨ２、−Ｃ（Ｏ）Ｈ、−アルキル、−シクロアルキル、−パーフルオロアルキル、−Ｏ−アルキル、−Ｎ（Ｈ）アルキル、−Ｎ（アルキル）２、−ＣＯ２アルキル、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ（Ｏ）２Ｎ（Ｈ）アルキル、−Ｓ（Ｏ）Ｎ（Ｈ）アルキル、−Ｓ（Ｏ）２Ｎ（アルキル）２、−Ｓ（Ｏ）Ｎ（アルキル）２、−Ｓ−アルキル、−Ｓ（Ｏ）２アルキル、−Ｓ（Ｏ）アルキルまたは−Ｃ（Ｏ）アルキルであり；
各Ｒ１８は、独立して、−アリール、−ヘテロアリール、−アルキルアリール、−アルキルヘテロアリール、−Ｏ−アリール、−Ｏ−ヘテロアリール、−Ｏ−アルキルアリール、−Ｏ−アルキルヘテロアリール、−Ｎ（Ｈ）アリール、−Ｎ（アリール）２、−Ｎ（Ｈ）ヘテロアリール、−Ｎ（ヘテロアリール）２、−Ｎ（Ｈ）アルキルアリール、−Ｎ（アルキルアリール）２、−Ｎ（Ｈ）アルキルヘテロアリール、−Ｎ（アルキルヘテロアリール）２、−Ｓ−アリール、−Ｓ−ヘテロアリール、−Ｓ−アルキルアリール、−Ｓ−アルキルヘテロアリール、−Ｃ（Ｏ）アリール、−Ｃ（Ｏ）ヘテロアリール、−Ｃ（Ｏ）アルキルアリール、−Ｃ（Ｏ）アルキルヘテロアリール、−ＣＯ２アリール、−ＣＯ２ヘテロアリール、−ＣＯ２アルキルアリール、−ＣＯ２アルキルヘテロアリール、−Ｃ（Ｏ）Ｎ（Ｈ）アリール、−Ｃ（Ｏ）Ｎ（アリール）２、−Ｃ（Ｏ）Ｎ（Ｈ）ヘテロアリール、−Ｃ（Ｏ）Ｎ（ヘテロアリール）２、−Ｃ（Ｏ）Ｎ（Ｈ）アルキルアリール、−Ｃ（Ｏ）Ｎ（アルキルアリール）２、−Ｃ（Ｏ）Ｎ（Ｈ）アルキルヘテロアリール、−Ｃ（Ｏ）Ｎ（アルキルヘテロアリール）２、−Ｓ（Ｏ）２−アリール、−Ｓ（Ｏ）−アリール、−Ｓ（Ｏ）２−ヘテロアリール、−Ｓ（Ｏ）−ヘテロアリール、−Ｓ（Ｏ）２−アルキルアリール、−Ｓ（Ｏ）−アルキルアリール、−Ｓ（Ｏ）２−アルキルヘテロアリール、−Ｓ（Ｏ）−アルキルヘテロアリール、−Ｓ（Ｏ）２Ｎ（Ｈ）−アリール、−Ｓ（Ｏ）Ｎ（Ｈ）−アリール、−Ｓ（Ｏ）２ＮＨ−ヘテロアリール、−Ｓ（Ｏ）ＮＨ−ヘテロアリール、−Ｓ（Ｏ）２Ｎ（Ｈ）−アルキルアリール、−Ｓ（Ｏ）Ｎ（Ｈ）−アルキルアリール、−Ｓ（Ｏ）２Ｎ（Ｈ）−アルキルヘテロアリール、−Ｓ（Ｏ）Ｎ（Ｈ）−アルキルヘテロアリール、−Ｓ（Ｏ）２Ｎ（アリール）２、−Ｓ（Ｏ）Ｎ（アリール）２、−Ｓ（Ｏ）２Ｎ（ヘテロアリール）２、−Ｓ（Ｏ）Ｎ（ヘテロアリール）２、−Ｓ（Ｏ）２Ｎ（アルキルアリール）２、−Ｓ（Ｏ）Ｎ（アルキルアリール）２、−Ｓ（Ｏ）２Ｎ（アルキルヘテロアリール）２、−Ｓ（Ｏ）Ｎ（アルキルヘテロアリール）２、−Ｎ（Ｈ）Ｃ（Ｏ）Ｎ（Ｈ）アリール、−Ｎ（Ｈ）Ｃ（Ｏ）Ｎ（Ｈ）ヘテロアリール、−Ｎ（Ｈ）Ｃ（Ｏ）Ｎ（Ｈ）アルキルアリール、−Ｎ（Ｈ）Ｃ（Ｏ）Ｎ（Ｈ）アルキルヘテロアリール、−Ｎ（Ｈ）Ｃ（Ｏ）Ｎ（アリール）２、−Ｎ（Ｈ）Ｃ（Ｏ）Ｎ（ヘテロアリール）２、−Ｎ（Ｈ）Ｃ（Ｏ）Ｎ（アルキルアリール）２または−Ｎ（Ｈ）Ｃ（Ｏ）Ｎ（アルキルヘテロアリール）２であり；そして
各Ｒ２１は、独立して、−アリール、−ヘテロアリール、−シクロアルキル、またはヘテロシクリルであり、ここで、任意の炭素原子に結合する水素原子は、必要に応じて、Ｒ４によって置換され、そして任意の窒素原子に結合する水素原子は、必要に応じてＲ２によって置換されている、
化合物。
【請求項４】  以下の式（ＩＩ）により表わされる化合物であって：
【化１３】
2002506061.tif 000013
ここで、
Ｙは、以下であり：
【化１４】
2002506061.tif 000014
Ｃは、アリール環またはヘテロアリール環であり、ここで、該Ｃ環に結合している任意の水素原子は、必要に応じて、−Ｒ４で置換されており；
ｍは、０または１であり；
Ｗは、−ＣＨ２−、−Ｃ（Ｏ）−、−Ｓ（Ｏ）２−、または−Ｓ（Ｏ）−；であり；
Ｘは、−Ｃ（Ｈ）−、−Ｃ（Ｒ８）−、または
【化１５】
2002506061.tif 000015
であり；
各Ｒ１は、独立して、−Ｈ、−Ｃ（Ｏ）Ｒ８、−Ｓ（Ｏ）２Ｒ８、−Ｓ（Ｏ）Ｒ８、−Ｒ２１、−アルキル−Ｒ２１、−アルケニル−Ｒ２１、−アルキニル−Ｒ２１、−アルキルであり；
Ｒ２は、−Ｃ（Ｏ）Ｒ８、−Ｃ（Ｏ）Ｃ（Ｏ）Ｒ８、−Ｓ（Ｏ）２Ｒ８、−Ｓ（Ｏ）Ｒ８、−Ｃ（Ｏ）ＯＲ８、−Ｃ（Ｏ）Ｎ（Ｈ）Ｒ８、−Ｓ（Ｏ）２Ｎ（Ｈ）−Ｒ８、−Ｓ（Ｏ）Ｎ（Ｈ）−Ｒ８、−Ｃ（Ｏ）Ｃ（Ｏ）Ｎ（Ｈ）Ｒ８、−Ｃ（Ｏ）ＣＨ＝ＣＨＲ８、−Ｃ（Ｏ）ＣＨ２ＯＲ８、−Ｃ（Ｏ）ＣＨ２Ｎ（Ｈ）Ｒ８、−Ｃ（Ｏ）Ｎ（Ｒ８）２、−Ｓ（Ｏ）２Ｎ（Ｒ８）２、−Ｓ（Ｏ）Ｎ（Ｒ８）２、−Ｃ（Ｏ）Ｃ（Ｏ）Ｎ（Ｒ８）２、−Ｃ（Ｏ）ＣＨ２Ｎ（Ｒ８）２、−ＣＨ２−Ｒ８、−ＣＨ２−アルケニル−Ｒ８、または−ＣＨ２−アルキニル−Ｒ８であり；
Ｒ３は、−Ｈ、−Ｒ２１、−アルキル−Ｒ２１、−アルケニル−Ｒ２１、−アルキニル−Ｒ２１、アルキル、またはアミノ酸側鎖であり；
各Ｒ４は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−アルキル、−シクロアルキル、−パーフルオロアルキル、−Ｏ−アルキル、−Ｎ（Ｈ）アルキル、−Ｎ（アルキル）２、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ−アルキル、−Ｓ（Ｏ）２アルキル、−Ｓ（Ｏ）アルキル、−Ｃ（Ｏ）アルキル、−ＣＨ２ＮＨ２、−ＣＨ２Ｎ（Ｈ）アルキル、−ＣＨ２Ｎ（アルキル）２、または−Ｎ（Ｈ）Ｃ（Ｏ）Ｏアルキルであり；
Ｒ６は、−Ｈ、−ＣＨ２ＯＲ９、−ＣＨ２ＳＲ１０、−ＣＨ２Ｎ（Ｈ）Ｒ９、−ＣＨ２Ｎ（Ｒ９）Ｒ１１、−Ｃ（Ｈ）Ｎ２、−ＣＨ２Ｆ、−ＣＨ２Ｃｌ、−ＣＨ２Ｂｒ、−ＣＨ２Ｉ、−Ｃ（Ｏ）Ｎ（Ｒ１１）２、−Ｒ１３または−Ｒ１４である；
Ｒ７は、−Ｃ（Ｏ）アルキル、−Ｃ（Ｏ）シクロアルキル、−Ｃ（Ｏ）アルケニル、−Ｃ（Ｏ）アルキニル、−Ｃ（Ｏ）アルキルアリール、−Ｃ（Ｏ）アルキルヘテロアリール、−Ｃ（Ｏ）ヘテロ環、または−Ｃ（Ｏ）アルキルヘテロ環であり；
各Ｒ８は、独立して、−アルキル、−シクロアルキル、−アリール、−ヘテロアリール、−ヘテロシクリル、−アルキルシクロアルキル、−アルキルアリール、−アルキルヘテロアリールまたは−アルキルヘテロシクリルであり；
Ｒ９は、−Ｈ、−Ｃ（Ｏ）アリール、−Ｃ（Ｏ）ヘテロアリール、−Ｃ（Ｏ）アルキルアリール、−Ｃ（Ｏ）アルキルヘテロアリール、−アルキルアリール、−アルキルヘテロアリール、−アリール、−ヘテロアリールまたは−Ｐ（Ｏ）（Ｒ１５）２であり；
Ｒ１０は、−アルキルアリールまたは−アルキルヘテロアリールであり；
各Ｒ１１は、独立して、−Ｈ、−アルキル、−アリール、−ヘテロアリール、−シクロアルキル、−アルキルアリールまたは−アルキルヘテロアリールであり；
Ｒ１３は、−アルキルアリールまたは−アルキルヘテロアリールであり；
Ｒ１４は、以下であり：
【化１６】
2002506061.tif 000016
ここで、Ｑは、−Ｏ−または−Ｓ−であり、（ｉ）の任意の水素原子は、必要に応じて、−Ｒ１７で置換されており、そして（ｉｉ）、（ｉｉｉ）、および（ｉｖ）の任意の水素原子は、必要に応じて、−Ｒ１７、−Ｒ１８または−アルキル−Ｒ１８で置換されており；
各Ｒ１５は、独立して、−Ｈ、−ＯＨ、アルキル、アリール、ヘテロアリール、シクロアルキル、アルキルアリール、アルキルヘテロアリール、−Ｏアルキル、−Ｏアリール、−Ｏヘテロアリール、−Ｏアルキルアリールまたは−Ｏアルキルヘテロアリールであり；
各Ｒ１７は、独立して、−ＯＨ、−Ｆ、−Ｃｌ、−Ｂｒ、−Ｉ、−ＮＯ２、−ＣＮ、−ＮＨ２、−ＣＯ２Ｈ、−Ｃ（Ｏ）ＮＨ２、−Ｎ（Ｈ）Ｃ（Ｏ）Ｈ、−Ｎ（Ｈ）Ｃ（Ｏ）ＮＨ２、−ＳＯ２ＮＨ２、−Ｃ（Ｏ）Ｈ、−アルキル、−シクロアルキル、−パーフルオロアルキル、−Ｏ−アルキル、−Ｎ（Ｈ）アルキル、−Ｎ（アルキル）２、−ＣＯ２アルキル、−Ｃ（Ｏ）Ｎ（Ｈ）アルキル、−Ｃ（Ｏ）Ｎ（アルキル）２、−Ｎ（Ｈ）Ｃ（Ｏ）アルキル、−Ｎ（Ｈ）Ｃ（Ｏ）Ｎ（Ｈ）アルキル、−Ｎ（Ｈ）Ｃ（Ｏ）Ｎ（アルキル）２、−Ｓ（Ｏ）２Ｎ（Ｈ）アルキル、−Ｓ（Ｏ）Ｎ（Ｈ）アルキル、−Ｓ（Ｏ）２Ｎ（アルキル）２、−Ｓ（Ｏ）Ｎ（アルキル）２、−Ｓ−アルキル、−Ｓ（Ｏ）２アルキル、−Ｓ（Ｏ）アルキルまたは−Ｃ（Ｏ）アルキルであり；
各Ｒ１８は、独立して、−アリール、−ヘテロアリール、−アルキルアリール、−アルキルヘテロアリール、−Ｏ−アリール、−Ｏ−ヘテロアリール、−Ｏ−アルキルアリール、−Ｏ−アルキルヘテロアリール、−Ｎ（Ｈ）アリール、−Ｎ（アリール）２、−Ｎ（Ｈ）ヘテロアリール、−Ｎ（ヘテロアリール）２、−Ｎ（Ｈ）アルキルアリール、−Ｎ（アルキルアリール）２、−Ｎ（Ｈ）アルキルヘテロアリール、−Ｎ（アルキルヘテロアリール）２、−Ｓ−アリール、−Ｓ−ヘテロアリール、−Ｓ−アルキルアリール、−Ｓ−アルキルヘテロアリール、−Ｃ（Ｏ）アリール、−Ｃ（Ｏ）ヘテロアリール、−Ｃ（Ｏ）アルキルアリール、−Ｃ（Ｏ）アルキルヘテロアリール、−ＣＯ２アリール、−ＣＯ２ヘテロアリール、−ＣＯ２アルキルアリール、−ＣＯ２アルキルヘテロアリール、−Ｃ（Ｏ）Ｎ（Ｈ）アリール、−Ｃ（Ｏ）Ｎ（アリール）２、−Ｃ（Ｏ）Ｎ（Ｈ）ヘテロアリール、−Ｃ（Ｏ）Ｎ（ヘテロアリール）２、−Ｃ（Ｏ）Ｎ（Ｈ）アルキルアリール、−Ｃ（Ｏ）Ｎ（アルキルアリール）２、−Ｃ（Ｏ）Ｎ（Ｈ）アルキルヘテロアリール、−Ｃ（Ｏ）Ｎ（アルキルヘテロアリール）２、−Ｓ（Ｏ）２−アリール、−Ｓ（Ｏ）−アリール、−Ｓ（Ｏ）２−ヘテロアリール、−Ｓ（Ｏ）−ヘテロアリール、−Ｓ（Ｏ）２−アルキルアリール、−Ｓ（Ｏ）−アルキルアリール、−Ｓ（Ｏ）２−アルキルヘテロアリール、−Ｓ（Ｏ）−アルキルヘテロアリール、−Ｓ（Ｏ）２Ｎ（Ｈ）−アリール、−Ｓ（Ｏ）Ｎ（Ｈ）−アリール、−Ｓ（Ｏ）２ＮＨ−ヘテロアリール、−Ｓ（Ｏ）ＮＨ−ヘテロアリール、−Ｓ（Ｏ）２Ｎ（Ｈ）−アルキルアリール、−Ｓ（Ｏ）Ｎ（Ｈ）−アルキルアリール、−Ｓ（Ｏ）２Ｎ（Ｈ）−アルキルヘテロアリール、−Ｓ（Ｏ）Ｎ（Ｈ）−アルキルヘテロアリール、−Ｓ（Ｏ）２Ｎ（アリール）２、−Ｓ（Ｏ）Ｎ（アリール）２、−Ｓ（Ｏ）２Ｎ（ヘテロアリール）２、−Ｓ（Ｏ）Ｎ（ヘテロアリール）２、−Ｓ（Ｏ）２Ｎ（アルキルアリール）２、−Ｓ（Ｏ）Ｎ（アルキルアリール）２、−Ｓ（Ｏ）２Ｎ（アルキルヘテロアリール）２、−Ｓ（Ｏ）Ｎ（アルキルヘテロアリール）２、−Ｎ（Ｈ）Ｃ（Ｏ）Ｎ（Ｈ）アリール、−Ｎ（Ｈ）Ｃ（Ｏ）Ｎ（Ｈ）ヘテロアリール、−Ｎ（Ｈ）Ｃ（Ｏ）Ｎ（Ｈ）アルキルアリール、−Ｎ（Ｈ）Ｃ（Ｏ）Ｎ（Ｈ）アルキルヘテロアリール、−Ｎ（Ｈ）Ｃ（Ｏ）Ｎ（アリール）２、−Ｎ（Ｈ）Ｃ（Ｏ）Ｎ（ヘテロアリール）２、−Ｎ（Ｈ）Ｃ（Ｏ）Ｎ（アルキルアリール）２または−Ｎ（Ｈ）Ｃ（Ｏ）Ｎ（アルキルヘテロアリール）２であり；そして
各Ｒ２１は、独立して、−アリール、−ヘテロアリール、−シクロアルキル、またはヘテロシクリルであり、ここで、任意の炭素原子に結合する水素原子は、必要に応じて、Ｒ４によって置換され、そして任意の窒素原子に結合する水素原子は、必要に応じてＲ２によって置換されている、
化合物。
【請求項５】  請求項１〜４のいずれか１つに記載の化合物であって、ここでＲ１がアリール、ヘテロアリール、アルキル、アルキルアリール、またはアルキルヘテロアリールである、化合物。
【請求項６】  請求項５に記載の化合物であって、ここでＲ１が：
【化１７】
2002506061.tif 000017
である、化合物。
【請求項７】  請求項１〜４のいずれか１つに記載の化合物であって、ここでＲ２が：
【化１８】
2002506061.tif 000018
である、化合物。
【請求項８】  請求項１〜４のいずれか１つに記載の化合物であって、ここでＲ３がアミノ酸側鎖、アリール、ヘテロアリール、アルキル、アルキルアリール、またはアルキルヘテロアリールである、化合物。
【請求項９】  請求項８に記載の化合物であって、ここで、Ｒ３が：
【化１９】
2002506061.tif 000019
である、化合物。
【請求項１０】  請求項１〜４のいずれか１つに記載の化合物であって、ここでＲ６が−Ｈである、化合物。
【請求項１１】  請求項２または４に記載の化合物であって、ここでＲ８が、−アルキル、−アルキルシクロアルキル、−アリール、−アルキルアリール、または−アルキルヘテロシクリルである、化合物。
【請求項１２】  請求項１１に記載の化合物であって、ここでＹが：
【化２０】
2002506061.tif 000020
であり、そしてＶが：
【化２１】
2002506061.tif 000021
である、化合物。
【請求項１３】  請求項１に記載の化合物であって、以下：
【化２２】
2002506061.tif 000022
からなる群からより選択される、化合物。
【請求項１４】  請求項２に記載の化合物であって、以下：
【化２３】
2002506061.tif 000023
からなる群からより選択される、化合物。
【請求項１５】  薬学的組成物であって、ａ）請求項１〜１４のいずれか１つに記載される化合物；およびｂ）薬学的に受容可能なキャリア、アジュバントまたはビヒクルを含有する、薬学的組成物。
【請求項１６】  疾患を処置または予防するための組成物であって、該疾患は患者における、以下の疾患：
ＩＬ−１媒介疾患、アポトーシス媒介疾患、炎症性疾患、自己免疫性疾患、破壊性骨障害、増殖性障害、感染性疾患、変性疾患、壊死性疾患、過剰な食用アルコール摂取疾患、ウイルス媒介疾患、炎症性腹膜炎、変形性関節症、膵炎、喘息、成人性呼吸窮迫症候群、糸球体腎炎、慢性関節リウマチ、全身性エリテマトーデス、硬皮症、慢性甲状腺炎、グレーヴズ病、自己免疫性胃炎、インスリン依存性糖尿病（Ｉ型）、自己免疫性溶血性貧血、自己免疫性好中球減少症、血小板減少症、慢性活性肝炎、重症筋無力症、炎症性腸疾患、クローン病、乾癬、対宿主性移植片病、骨粗鬆症、多発性骨髄腫関連骨障害、急性骨髄性白血病、慢性骨髄性白血病、転移性黒色腫、カポージ肉腫、多発性骨髄腫、敗血症、敗血症性ショック、細菌性赤痢、アルツハイマー病、パーキンソン病、脳性虚血、心筋虚血、棘筋萎縮症、多発性硬化症、ＡＩＤＳ関連脳炎、ＨＩＶ関連脳炎、加齢、脱毛症、発作による神経学的損傷、潰瘍性大腸炎、外傷性脳損傷、臓器移植拒絶、Ｂ型肝炎、Ｃ型肝炎、Ｇ型肝炎、黄熱病、デング熱または日本脳炎、
から選択される疾患であって、該組成物は、請求項１〜１４のいずれか１項に記載の化合物を含むか、または請求項１５に記載の薬学的組成物である、組成物。
【請求項１７】  請求項１６に記載の組成物であって、ここで、前記疾患が、慢性関節リウマチ、炎症性腸疾患、クローン病、潰瘍性大腸炎、炎症性腹膜炎、敗血症性ショック、膵炎、外傷性脳損傷、臓器移植拒絶、変形性関節症、喘息、乾癬、またはアルツハイマー病である、組成物。
【請求項１８】  患者におけるＩＣＥ−媒介性機能を阻害するための組成物であって、該組成物は、請求項１〜１４のいずれか１項に記載の化合物を含むか、または請求項１５に記載の薬学的組成物である、組成物。
【請求項１９】  患者におけるＩＧＩＦまたはＩＦＮ−γの産生を低減するための組成物であって、該組成物は、請求項１〜１４のいずれか１項に記載の化合物を含むか、または請求項１５に記載の薬学的組成物である、組成物。
【請求項２０】  患者における疾患を処置または予防するための医薬の製造の際の、請求項１〜１４のいずれか１項に記載の化合物、または請求項１５に記載の薬学的組成物の使用であって、ここで該疾患は、以下の疾患：
ＩＬ−１媒介疾患、アポトーシス媒介疾患、炎症性疾患、自己免疫性疾患、破壊性骨障害、増殖性障害、感染性疾患、変性疾患、壊死性疾患、過剰な食用アルコール摂取疾患、ウイルス媒介疾患、炎症性腹膜炎、変形性関節症、膵炎、喘息、成人性呼吸窮迫症候群、糸球体腎炎、慢性関節リウマチ、全身性エリテマトーデス、硬皮症、慢性甲状腺炎、グレーヴズ病、自己免疫性胃炎、インスリン依存性糖尿病（Ｉ型）、自己免疫性溶血性貧血、自己免疫性好中球減少症、血小板減少症、慢性活性肝炎、重症筋無力症、炎症性腸疾患、クローン病、乾癬、対宿主性移植片病、骨粗鬆症、多発性骨髄腫関連骨障害、急性骨髄性白血病、慢性骨髄性白血病、転移性黒色腫、カポージ肉腫、多発性骨髄腫、敗血症、敗血症性ショック、細菌性赤痢、アルツハイマー病、パーキンソン病、脳性虚血、心筋虚血、棘筋萎縮症、多発性硬化症、ＡＩＤＳ関連脳炎、ＨＩＶ関連脳炎、加齢、脱毛症、発作による神経学的損傷、潰瘍性大腸炎、外傷性脳損傷、臓器移植拒絶、Ｂ型肝炎、Ｃ型肝炎、Ｇ型肝炎、黄熱病、デング熱または日本脳炎、
から選択される疾患である、使用。
【請求項２１】  請求項２０に記載の使用であって、ここで、前記疾患が、慢性関節リウマチ、炎症性腸疾患、クローン病、潰瘍性大腸炎、炎症性腹膜炎、敗血症性ショック、膵炎、外傷性脳損傷、臓器移植拒絶、変形性関節症、喘息、乾癬、またはアルツハイマー病である、使用。
【請求項２２】  患者におけるＩＣＥ−媒介性機能を阻害する医薬を製造する際の、請求項１〜１４のいずれか１項に記載の化合物、または請求項１５に記載の薬学的組成物の使用。
【請求項２３】  患者におけるＩＧＩＦまたはＩＦＮ−γの産生を低減するための医薬を製造する際の、請求項１〜１４のいずれか１項に記載の化合物、または請求項１５に記載の薬学的組成物の使用。